(57)【要約】【課題】基板に対し余計なスペースをとらず、特別な治具を必要とせず、基板から安全かつ容易に取り外しできる光トランシーバを提供することにある。【解決手段】光信号を送信するための光送信部と、光信号を受信するための光受信部と、通信機器内の基板に嵌合するためのコネクタ５３ｕと、前記光送信部、前記光受信部及び前記コネクタ５３ｕを収納するための筐体２とを有する光トランシーバ１において、筐体２の側面２ｒ，２ｌに設けられ、筐体２の内外方向に移動する第一の移動部材４ａ，４ｂと、第一の移動部材４ａ，４ｂに連動して筐体２の底面２ｄに出没する第二の移動部材５ａ，５ｂとを備えたものである。【選択図】      図４
2004152937.tif 000002
【特許請求の範囲】
【請求項１】
光信号を送信するための光送信部と、光信号を受信するための光受信部と、通信機器内の基板に嵌合するためのコネクタと、前記光送信部、前記光受信部及び前記コネクタを収納するための筐体とを有する光トランシーバにおいて、前記筐体の側面に設けられ、前記筐体の内外方向に移動する第一の移動部材と、前記第一の移動部材に連動して前記筐体の底面に出没する第二の移動部材とを備えたことを特徴とする光トランシーバ。
【請求項２】
前記第一の移動部材あるいは前記第二の移動部材の互いに接する端面の少なくとも一方が、当該部材の移動方向に対して垂直でない請求項１記載の光トランシーバ。
【請求項３】
前記第一の移動部材が移動するとき、前記垂直でない端面に相手側部材が接する位置が変わることにより、前記第二の移動部材が移動する請求項１または２記載の光トランシーバ。
【請求項４】
前記筐体の両側面に前記第一の移動部材をそれぞれ設け、前記筐体の底面に前記第二の移動部材をそれぞれ設けた請求項１〜３のいずれかに記載の光トランシーバ。
【発明の詳細な説明】
【０００１】
【発明の属する技術分野】
本発明は、基板にコネクタ嵌合によって装着される光トランシーバに関するものである。
【０００２】
【従来の技術】
光トランシーバは、通信機器内の基板（例えば、ホスト回路基板）にコネクタ嵌合によって装着されることで、通信機器と電気的・機械的に接続されて用いられる。
【０００３】
近年の光トランシーバは、伝送速度が数Ｇｂｐｓ以上の高速化や高機能化が進んでいるので、基板との接続には、３００ｐｉｎのような多ピンコネクタが用いられている。多ピンコネクタの各端子は非常に高密度で実装されており、外圧に対して非常に弱い。また、多ピンコネクタは、その構造上取り外す方向や力のかけ方にも幾つもの制限があり、誤った方法で取り外すと、ＢＧＡ（Ｂａｌｌ  Ｇｒｉｄ  Ａｒｒａｙ）半田が剥がれる等により二度と嵌合できなくなってしまう等の問題が生じる。
【０００４】
そこで、従来の光トランシーバの一例として、図７（ａ）〜（ｃ）に示すような光トランシーバ５１がある。光トランシーバ５１は、筐体５２の底面に多ピンの雄コネクタ５３ｕを設け、筐体５２の後方に回動可能な略Ｌ字状のリリース部材５４を設け、筐体５２の前側面にピグテールファイバ５５が取り付けられたものである。リリース部材５４は、図７（ａ）の状態で、筐体５２の後方に露出し、垂直方向に延びたレバー部５４ａと、一部が筐体５２内に収納され、水平方向に延びたエルボ部５４ｂとが一体になったものである。このリリース部材５４は、エルボ部５４ｂの端部が筐体５２内に設けられたピン５６に取り付けられており、ピン５６を回動中心にして回動可能となっている。
【０００５】
一方、基板６１の上面には雄コネクタ５３ｕと嵌合する雌コネクタ５３ｄが設けられている。光トランシーバ５１の雄コネクタ５３ｕを基板６１の雌コネクタ５３ｄに差し込むと、光トランシーバ５１は基板６１に装着されて図７（ａ）に示したリリース前（使用時あるいは取り外し前）の状態になる。このとき、エルボ部５４ｂと基板６１間には若干の隙間がある。
【０００６】
装着された光トランシーバ５１を基板６１から取り外すには、まず、図７（ａ）の状態からレバー部５４ａを指で押し、リリース部材５４を後方（図では左方向）へ倒していけばよい。このとき、エルボ部５４ｂの角部ｒが基板６１の表面に接触して図７（ｂ）に示したリリース中の状態になる。
【０００７】
さらにリリース部材５４を倒すと、リリース部材５４は、レバー部５４ａを力点、角部ｒを支点、ピン５６を作用点とするテコになるので、ピン５６の押し上げによって光トランシーバ５１を持ち上げることができる。これに伴い、雄コネクタ５３ｕが雌コネクタ５３ｄから次第に外れる。
【０００８】
リリース部材５４を図７（ａ）の状態から９０°後方に回動し、完全に倒した図７（ｃ）に示したリリース後の状態では、雄コネクタ５３ｕが雌コネクタ５３ｄから外れており、光トランシーバ５１も基板６１から浮き上がっている。以上により、装着された光トランシーバ５１を基板６１から取り外すことができる。
【０００９】
【発明が解決しようとする課題  】
しかしながら、従来の光トランシーバ５１は、基板６１から取り外す際、リリース部材５４を９０°回動させるのに十分な空間が必要になるので、基板６１に対して余計なスペースをとってしまうという問題がある。
【００１０】
特に、近年は基板にも部品が高密度に実装されていることもあり、基板の実装密度の向上、基板の小形化、延いてはトランシーバの小型化などの妨げになる。また、従来の光トランシーバ５１では、リリース部材５４が常に筐体５２からはみ出した状態になっているので、規格化された筐体の外形仕様を満たすことができないという問題もある。
【００１１】
そこで、本発明の目的は、基板に対し余計なスペースをとらず、特別な治具を必要とせず、基板から安全かつ容易に取り外しできる光トランシーバを提供することにある。
【００１２】
【課題を解決するための手段】
本発明は上記目的を達成するために創案されたものであり、請求項１の発明は、光信号を送信するための光送信部と、光信号を受信するための光受信部と、通信機器内の基板に嵌合するためのコネクタと、前記光送信部、前記光受信部及び前記コネクタを収納するための筐体とを有する光トランシーバにおいて、前記筐体の側面に設けられ、前記筐体の内外方向に移動する第一の移動部材と、前記第一の移動部材に連動して前記筐体の底面に出没する第二の移動部材とを備えた光トランシーバである。
【００１３】
請求項２の発明は、前記第一の移動部材あるいは前記第二の移動部材の互いに接する端面の少なくとも一方が、当該部材の移動方向に対して垂直でない請求項１記載の光トランシーバである。
【００１４】
請求項３の発明は、前記第一の移動部材が移動するとき、前記垂直でない端面に相手側部材が接する位置が変わることにより、前記第二の移動部材が移動する請求項１または２記載の光トランシーバである。
【００１５】
請求項４の発明は、前記筐体の両側面に前記第一の移動部材をそれぞれ設け、前記筐体の底面に前記第二の移動部材をそれぞれ設けた請求項１〜３のいずれかに記載の光トランシーバである。
【００１６】
【発明の実施の形態】
以下、本発明の好適実施の形態を添付図面にしたがって説明する。
【００１７】
図１（ａ）は、本発明の好適実施の形態である光トランシーバの底面図を示し、図１（ｂ）はその側面図を示したものである。
【００１８】
図１（ａ），（ｂ）に示すように、本発明に係る光トランシーバ１は、主として伝送速度が数Ｇｂｐｓ以上の高速の光通信に使用され、例えば、スイッチングハブやメディアコンバータなどの通信機器内の基板（図３（ａ），（ｂ）参照）にコネクタ嵌合によって装着されることで、通信機器と電気的・機械的に接続されて用いられる。
【００１９】
光トランシーバ１は、光信号を送信するための図示しない光送信部と、光信号を受信するための図示しない光受信部と、通信機器内の基板に嵌合するための多ピンの雄コネクタ５３ｕと、これら光送信部、光受信部および雄コネクタ５３ｕを内部に収納するための放熱性が高い金属からなる筐体２とを有している。
【００２０】
また、この光トランシーバ１は、筐体２の底面２ｄの後方に雄コネクタ５３ｕを設け、筐体２の両側面２ｒ，２ｌの雄コネクタ５３ｕ近傍に窪み部３ａ，３ｂをそれぞれ設け、その窪み部３ａ，３ｂの中心に、筐体２の両側面２ｒ，２ｌから突出せずに筐体２の内外方向（図１（ａ）では上下方向、図１（ｂ）では紙面に垂直方向）に移動する第一の移動部材としてのリリースボタン４ａ，４ｂをそれぞれ設け、筐体２の底面２ｄに、各リリースボタン４ａ，４ｂに連動して筐体２の底面２ｄに出没する（図１（ａ）では紙面に垂直方向に移動、図１（ｂ）では上下方向に移動）第二の移動部材としてのリリースピン５ａ，５ｂをそれぞれ設け、筐体２の前側面２ｆに筐体２内のＬＤあるいはＰＤに接続されるピグテールファイバ５５ａ，５５ｂが取り付けられたものである。
【００２１】
本実施の形態では、筐体２のサイズは、例えば、Ａ５サイズ〜名刺サイズ程度である。窪み部３ａ，３ｂは、リリースボタン４ａ，４ｂが筐体２の両側面２ｒ，２ｌから常時突出しないように、かつリリースボタン４ａ，４ｂを指で押し込みやすくするために、例えば略テーパ状に形成されている。窪み部３ａ，３ｂは、雄コネクタ５３ｕの上面よりも高い位置に形成されている。
【００２２】
また、各リリースボタン４ａ，４ｂと各リリースピン５ａ，５ｂの材質としては、例えば、樹脂や筐体２と同じ放熱性が高い金属を使用することができる。特に、金属を用いた場合には、樹脂を用いた場合に比べて光トランシーバ１の放熱特性をより一層向上させることができる。各リリースボタン４ａ，４ｂの外径と各リリースピン５ａ，５ｂの外径は同じである。
【００２３】
後述するように、光トランシーバ１では、片手の二本の指（例えば、親指と中指）でリリースボタン４ａ，４ｂを筐体２内方向に同時に押し込むことにより、筐体２内に収納されていたリリースピン５ａ，５ｂの一部が筐体２の底面２ｄから同時に突出するようになっている。
【００２４】
各リリースボタン４ａ，４ｂの外周には図示しないバネがそれぞれ取り付けられている。これは、光トランシーバ１のリリース前（基板に装着された使用時、あるいは基板からの取り外し前）や未使用時、各リリースボタン４ａ，４ｂが筐体２の両側面２ｒ，２ｌから突出するのを防止すると共に、筐体２からの脱落を防止するためである。
【００２５】
各リリースピン５ａ，５ｂの外周にも図示しないバネがそれぞれ取り付けられている。これも光トランシーバ１のリリース前や未使用時、各リリースピン５ａ，５ｂが筐体２の底面２ｄから突出するのを防止すると共に、筐体２からの脱落を防止するためである。つまり、各リリースピン５ａ，５ｂは、リリース中およびリリース直後のみ筐体２の底面２ｄから突出するようになっている。また、リリースピン５ａ，５ｂのストローク量は、雄コネクタ５３ｕの高さとほぼ同じになるようにしている。
【００２６】
ここで、リリースボタン４ａとリリースピン５ａの動作について説明する。以下の説明はリリースボタン４ｂとリリースピン５ｂについても同様である。
【００２７】
図２（ａ）はリリース前のリリースボタン４ａとリリースピン５ａの動作を説明する図、図２（ｂ）はリリース後のリリースボタン４ａとリリースピン５ａの動作を説明する図である。
【００２８】
図２（ａ），（ｂ）に示すように、リリースボタン４ａは略円柱状に形成され、リリースピン５ａは円柱状に形成されている。リリースボタン４ａの一端面２１ｉとリリーピン５ａの一端面２２ｉとは、互いに接している。リリースボタン４ａの一端面２１ｉは、筐体の底面方向（図２（ａ），（ｂ）では下向き）に傾斜した楕円状の傾斜面となるように形成されており、その移動方向（矢印Ａ方向あるいはその逆方向）に対して垂直でない。一方、リリースピン５ａの一端面２２ｉは、その移動方向（矢印Ｃ方向あるいはその逆方向）に対して垂直である。
【００２９】
すなわち、リリースボタン４ａが移動するとき、その垂直でない一端面２１ｉに相手側部材であるリリースピン５ａの一端面２２ｉが接する位置が変わることにより、リリースピン５ａが移動するようになっている。
【００３０】
これにより、リリースボタン４ａの他端面２１ｏを指で図２（ａ）の矢印Ａ方向に押すと、リリースピン５ａの一端面２２ｉの縁が、リリースボタン４ａの一端面２１ｉに押されてリリースボタン４ａの一端面２１ｉ上を滑るので、リリースピン５ａを図２の（ａ）の矢印Ｃ方向によりスムーズに押し出すことができ、リリースピン５ａの他端面２２ｏを筐体の底面からよりスムーズに突出しやすくすることができる。一方、リリースボタン４ａを押している指を離すと、リリースボタン４ａとリリースピン５ａは、図示しないバネの力で図２（ｂ）の状態から図２（ａ）の状態へ戻るようになっている。
【００３１】
また、本実施の形態では、リリースボタン４ａとリリースピン５ａの外径が同じであるが、例えば、リリースボタン４ａの外径をリリースピン５ａの外径よりも大径にすれば、リリースボタン４ａを指で押す力がより小さくなるという利点がある。
【００３２】
次に、本実施の形態の作用を説明する。
【００３３】
図３（ａ）は図１で示した光トランシーバのリリース前の状態を示す平面図、図３（ｂ）はその側面図である。図４（ａ）は図１で示した光トランシーバのリリース後の状態を示す平面図、図４（ｂ）はその側面図である。
【００３４】
図３（ａ），（ｂ）および図４（ａ），（ｂ）では、リリースボタン４ａ，４ｂとリリースピン５ａ，５ｂを、これらの動きをわかりやすくするために太線で描いている。ただし、実際には、光トランシーバ１の上方からリリースボタン４ａ，４ｂとリリースピン５ａ，５ｂは見えない。光トランシーバ１の側方からリリースボタン４ａ，４ｂは見えるが、リリースボタン５ａ，５ｂはリリース中およびリリース直後に部分的に見えるだけである。
【００３５】
図３（ａ），（ｂ）に示すように、通信機器内の基板（例えば、ホスト回路基板）３１の上面には、光トランシーバ１の雄コネクタ５３ｕと嵌合する雌コネクタ５３ｄが設けられている。光トランシーバ１の雄コネクタ５３ｕを基板３１の雌コネクタ５３ｄに上方から差し込むと、光トランシーバ１は基板３１に装着されてリリース前の状態になる。
【００３６】
光トランシーバ１は基板３１に装着されているものとする。装着された光トランシーバ１を基板３１から取り外すには、まず、図４（ａ）に示すように、片手の二本の指（例えば、親指と中指）で窪み部３ａ，３ｂの中心にあるリリースボタン４ａ，４ｂを筐体２内方向（図４（ａ）では矢印Ａ，Ｂ方向）に同時に押し込む。
【００３７】
すると、図４（ｂ）に示すように、筐体２内に収納されていたリリースピン５ａ（および５ｂ）は、リリースボタン４ａ（および４ｂ）に押されて筐体２の底面２ｄ方向（図４（ｂ）では矢印Ｃ方向）に押し出され、その一部が筐体２の底面２ｄから同時に突出する。
【００３８】
このとき、リリースボタン５ａ（および５ｂ）は基板３１の上面を鉛直下向きに押すので、雄コネクタ５３ｕが雌コネクタ５３ｄから鉛直上向きに外れる（あるいは外れようとする）と共に、光トランシーバ１が鉛直上向きに外れる（あるいは外れようとする）。これにより、光トランシーバ１を基板３１から安全かつ容易に取り外すことができる。
【００３９】
光トランシーバ１を基板３１から取り外した後、リリースボタン４ａ，４ｂを押している指を離すと、リリースピン５ａ，５ｂが筐体２内に収納される。
【００４０】
このように、本発明に係る光トランシーバ１は、筐体２の側面２ｒ，２ｌから突出せずに筐体２の内外方向に移動するリリースボタン４ａ，４ｂと、そのリリースボタン４ａ，４ｂに押されて筐体２の底面２ｄに出没するリリースピン５ａ，５ｂを備えているので、図７（ａ）〜（ｃ）で説明した従来の光トランシーバ５１とは異なり、基板３１に対して余計なスペースをとらず、特別な治具も必要とせずに、基板３１から安全かつ容易に取り外すことができる。
【００４１】
しかも、リリースボタン４ａ，４ｂは常に筐体２の側面２ｒ，２ｌからはみ出すことがなく、リリースピン５ａ，５ｂもリリース中およびリリース直後以外は筐体２の底面２ｄから突出しないので、規格化された筐体２の外形仕様を満たすことができる。
【００４２】
また、光トランシーバ１は、どちらか一方のリリースボタン４ａ，４ｂを押しても、基板３１から取り外すことができる。
【００４３】
次に、リリースボタンとリリースピンの他の一例を説明する。図５は、本発明に係るリリースボタンとリリースピンの他の一例を示す概略図である。
【００４４】
図２（ａ）および図２（ｂ）では、リリースボタン４ａの一端面２１ｉがその移動方向に対して垂直でない例で説明したが、本発明に係る光トランシーバ１では、リリースボタン４ａの一端面２１ｉあるいはリリースピン５ａの一端面２２ｉの少なくとも一方が、その移動方向に対して垂直でなければよい。このようにすれば、リリースピン４ａに加えた力を水平方向から垂直方向に変換してリリースピン５ａに伝えることができる。
【００４５】
例えば、図５（ａ）に示すように、リリースピン５ａの一端面２２ｉを、筐体の側面方向（図５（ａ）では左方向）に傾斜した楕円状の傾斜面となるように形成してもよい。この場合、リリースピン５ａの一端面２２ｉは、その移動方向に対して垂直ではなくなる。一方、リリースボタン４ａは円柱状に形成され、リリースボタン４ａの移動方向に対して垂直である。これは、図２（ａ）および図２（ｂ）の反対の例である。
【００４６】
図５（ｂ）のように、リリースボタン４ａの一端面２１ｉとリリースボタン５ａの一端面２２ｉとを、共にその移動方向に盛り上がったドーム状に形成してもよい。
【００４７】
図５（ｃ）のように、リリースボタン４ａの一端面２１ｉをその移動方向に盛り上がったドーム状に形成する一方、リリースピン５ａの一端面２２ｉを筐体の側面方向に傾斜した楕円状の傾斜面となるように形成してもよい。図５（ｄ）は図５（ｃ）の反対の例である。
【００４８】
ただし、図６に示すように、リリースボタン４ａの一端面２１ｉとリリースピン５ａの一端面２２ｉとが、共にその移動方向に対して垂直である場合、例えば、リリースボタン４ａとリリースピン５ａを共に円柱状に形成する場合は不適である。
【００４９】
上記実施の形態では、筐体の両側面に２個のリリースボタンを設け、筐体の底面に２個のリリースピンを設けた例で説明したが、筐体の前側面と後側面に２個のリリースボタンを設けてもよい。また、リリースボタンとリリースピンはそれぞれ１個ずつでもよい。
【００５０】
また、本発明は、ピグテールファイバを備えた光トランシーバだけでなく、基板にコネクタ嵌合によって装着される光トランシーバであれば、いかなる光トランシーバについても応用することができる。
【００５１】
【発明の効果】
以上説明したことから明らかなように、本発明によれば、次のような優れた効果を発揮する。
【００５２】
（１）基板から取り外す際、基板に対し余計なスペースをとらない。
【００５３】
（２）基板から取り外す際、特別な治具を必要としない。
【００５４】
（３）基板から安全かつ容易に取り外しできる。
【００５５】
（４）規格化された筐体の外形仕様を満たすことができる。
【図面の簡単な説明】
【図１】図１（ａ）は本発明の好適実施の形態である光トランシーバの底面図、図１（ｂ）はその側面図である。
【図２】図２（ａ）はリリース前のリリースボタンとリリースピンの動作を説明する図、図２（ｂ）はリリース後のリリースボタンとリリースピンの動作を説明する図である。
【図３】図３（ａ）は図１で示した光トランシーバのリリース前の状態を示す平面図、図３（ｂ）はその側面図である。
【図４】図４（ａ）は図１で示した光トランシーバのリリース後の状態を示す平面図、図４（ｂ）はその側面図である。
【図５】図５（ａ）〜（ｄ）は、本発明に係るリリースボタンとリリースピンの一例を示す概略図である。
【図６】リリースボタンとリリースピンの不適な一例を示す概略図である。
【図７】図７（ａ）は従来の光トランシーバのリリース前の状態を示す側面図、図７（ｂ）はそのリリース中の状態を示す側面図、図７（ｃ）はそのリリース後の状態を示す側面図である。
【符号の説明】
１  光トランシーバ
２  筐体
２ｒ，２ｌ  側面
２ｄ  底面
３ａ，３ｂ  窪み部
４ａ，４ｂ  リリースボタン（第一の移動部材）
５ａ，５ｂ  リリースピン（第二の移動部材）
５３ｕ  雄コネクタ
５３ｄ  雌コネクタ
６１  基板
【図１】
2004152937.tif 000003
【図２】
2004152937.tif 000004
【図３】
2004152937.tif 000005
【図４】
2004152937.tif 000006
【図５】
2004152937.tif 000007
【図６】
2004152937.tif 000008
【図７】
2004152937.tif 000009